(57)【要約】【課題】本発明は、追記型の光ディスクの管理領域に記録する回数を抑制するディスク記録装置を提供する。【解決手段】フロントエンド１は、追記型の光ディスクにデータファイルを記録でき、手段、そのディスクの管理領域に前記管理情報の更新記録を行うことができる。  バックエンド１０の制御部１１は、このデータファイルの記録が完了したとき、前記管理情報記録手段に対して本体にセットされている前記追記型の光ディスクに記録されているデータファイルの管理情報の更新記録を指示し、データファイルの記録を開始するときに、データファイルの管理情報の更新記録を指示しない。また、データファイルの記録の開始後前記完了するまでは、更新記録を指示しない。さらに、ディスク管理領域がいっぱいになったときに、記録を指示した場合には、記録後直ちにファイナライズ処理を行う。  【選択図】図４
2006268991.tif 000002
【特許請求の範囲】
【請求項１】
データファイルを追記型ＤＶＤのデータ領域に記録するデータファイル記録手段と、
前記データファイル記録手段により前記データ領域に記録されたデータファイルの管理情報を前記追記型ＤＶＤの管理領域に前記管理情報の更新記録を行う管理情報更新記録手段と、
前記管理情報更新記録手段の実行を指示する管理情報更新指示手段と、を備えた光ディスク記録装置において、
前記管理情報更新指示手段は、前記データファイル記録手段が本体にセットされている前記追記型ＤＶＤへのデータファイルの記録が完了したとき、前記管理情報記録手段に対して前記本体にセットされている前記追記型ＤＶＤに記録されているデータファイルの管理情報の更新記録を指示し、前記データファイル記録手段が前記本体にセットされている前記追記型ＤＶＤへのデータファイルの記録を開始するとき、および当該開始してから、このデータファイルの記録が完了するまでの間、前記管理情報記録手段に対して本体にセットされている前記追記型ＤＶＤに記録されているデータファイルの管理情報の更新記録を指示せず、
さらに、ファイナライズ処理をするファイナライズ手段を備え、
前記管理情報更新指示手段は、前記管理領域が前記データ記録完了後の前記管理情報の新たな更新記録をするのに十分でないと判断する機能を有し、当該判断をした場合には、前記データファイル記録手段により、前記データファイルの記録が開始するとき、および当該開始後から完了するまでの間、前記管理情報の更新記録を指示せず、前記データファイルの記録完了後直ちに前記ファイナライズ手段の実行を指示し、
前記ファイナライズ手段は、前記ファイナライズ処理で、前記管理情報を記録するため予め定められた領域であるファイナライズ領域に前記管理情報の記録を行う光ディスク記録装置。
【請求項２】
データファイルを追記型ＤＶＤのデータ領域に記録するデータファイル記録手段と、
前記データファイル記録手段により前記データ領域に記録されたデータファイルの管理情報を前記追記型ＤＶＤの管理領域に前記管理情報の更新記録を行う管理情報更新記録手段と、
前記管理情報更新記録手段の実行を指示する管理情報更新指示手段と、を備えた光ディスク記録装置において、
前記管理情報更新指示手段は、前記データファイル記録手段が本体にセットされている前記追記型ＤＶＤへのデータファイルの記録が完了したとき、前記管理情報記録手段に対して本体にセットされている前記追記型ＤＶＤに記録されているデータファイルの管理情報の更新記録を指示し、前記データファイル記録手段が前記本体にセットされている前記追記型ＤＶＤへのデータファイルの記録を開始するときに、前記管理情報記録手段に対して前記本体にセットされている前記追記型ＤＶＤに記録されているデータファイルの管理情報の更新記録を指示しない光ディスク記録装置。
【請求項３】
データファイルを追記型の光ディスクのデータ領域に記録するデータファイル記録手段と、
前記データファイル記録手段により前記データ領域に記録されたデータファイルの管理情報を前記追記型の光ディスクの管理領域に前記管理情報の更新記録を行う管理情報更新記録手段と、
前記管理情報記録手段の実行を指示する管理情報更新指示手段と、を備えた光ディスク記録装置において、
前記管理情報更新指示手段は、前記データファイル記録手段が本体にセットされている前記追記型の光ディスクへのデータファイルの記録を開始してから、このデータファイルの記録が完了するまでの間、前記管理情報記録手段に対して前記本体にセットされている前記追記型の光ディスクに記録されているデータファイルの管理情報の更新記録を指示しない光ディスク記録装置。
【請求項４】
前記光ディスクが追記型ＤＶＤであるものに対して、前記ファイル記録手段の実行を行うことができる請求項２に記載の光ディスク記録装置。
【請求項５】
さらに、ファイナライズ処理をするファイナライズ手段を備え、
前記管理情報更新指示手段は、前記管理領域が前記データ記録完了後の前記管理情報の新たな更新記録をするのに十分でないと判断する機能を有し、当該判断をした場合には、前記データファイル記録手段により、前記データファイルの記録が開始するとき、および当該開始後から完了するまでの間、前記管理情報の更新記録を指示せず、前記データファイルの記録完了後直ちに前記ファイナライズ手段の実行を指示し、
前記ファイナライズ手段は、前記ファイナライズ処理のときに、ファイナライズ処理のため予め定められた領域であるファイナライズ領域に前記管理情報の記録を行う請求項２に記載の光ディスク記録装置。
【発明の詳細な説明】
【技術分野】
【０００１】
本発明は、光ディスクの記録情報の管理領域の大きさが規格により予め決まっている場合に、その制約によって、光ディスクの記録領域が残っているにもかかわらず、ディスク管理領域の残りがないことにより、これ以上のデータの記録が不可能になることを回避することに関する。
【背景技術】
【０００２】
ＤＶＤ（Ｄｉｇｉｔａｌ  Ｖｅｒｓａｔｉｌｅ  Ｄｉｓｋ）などの光ディスクにおいては、光ディスク（以下単に「ディスク」という。）の記録情報を管理するために、ディスク上の所定の位置に管理領域を設けて、管理情報の記録を行う。
【０００３】
ここで、ディスク管理領域であるＲＭＡ（Ｒｅｃｏｒｄｉｎｇ  Ｍａｎａｇｅｍｅｎｔ  Ａｒｅａ）の構造についてＤＶＤを例にとり、図１を用いて説明する。ディスクのデータ構造は、図１（Ａ）に示す通り、エリア３０と、リードインゾーン３２と、データエリア３３を含んでいる。図１（Ｂ）に示す通り、エリア３０は、ＰＣＡ３４（Ｐｏｗｅｒ  Ｃａｌｉｂｒａｔｉｏｎ  Ａｒｅａ）と、エリア３１と、ＲＭＡ３５を含む。図１（Ｂ）に示す通り、ファイルはデータエリア３３に記録し、ディスク管理情報はエリア３０内のＲＭＡ３５に記録される。ＲＭＡは図１（Ｃ）に示す通り、ＲＭＡリードイン３６と、複数のＲＭＤ（Ｒｅｃｏｒｄｉｎｇ  Ｍａｎａｇｅｍｅｎｔ  Ｄａｔａ、例えば符号３７〜３９）を記録できる。ＲＭＡには、約７００ＥＣＣブロックのＲＭＤの記録領域が用意されている。ディスクが追記型の場合には書き換えができないから、管理情報を前記所定の位置の隣に続けて記録することになる。例えば、ＲＭＤ３７に記録した場合、次に記録するのはＲＭＤ３８、次にＲＭＤ３９と続く。当該記録は、所定の条件を満たしたときに更新された管理情報を記録するよう規格が定められている。そして、当該管理情報の記録は、最新の管理情報すべてを記録するものであって、最後に更新された管理情報のみが利用可能な管理情報となる。
【０００４】
次に、図２を用いて、前記ＤＶＤの規格で定められているＲＭＡにおける前記管理情報の記録（以下「ＲＭＤ記録」または、「ＲＭＤを記録する」と略す。また、前記管理情報のデータを「ＲＭＤ」と略す。）のタイミングについて説明する。図２（Ａ）は、記録前のディスクである。なお、図２（Ｂ）〜（Ｈ）では、図１のＲＭＡリードイン３６より左側のエリアは図示を省略する。また、Ａ１〜Ａ９は記録位置を指し、Ａ１〜Ａ２までのエリアがＲＺｏｎｅ＃１であり、Ａ２〜Ａ３までのエリアがＲＺｏｎｅ＃２であり、Ａ３以降がデータ領域の記録位置を指す。
【０００５】
図２（Ｂ）において、記録開始時に記録位置Ａ２からＲＭＤを記録する。その後図２（Ｃ）において、Ａ３からデータの記録を開始する。図２（Ｄ）において、等倍速より速く記録する場合、常時記録するのではなくリード、ライトを繰り返し行う。そこでライトが終了する毎に、ＲＺｏｎｅ＃２にＲＭＤを記録する。図２（Ｄ）ではＲＺｏｎｅ＃２に、前記ＲＭＤを記録する。図２（Ｅ）において、最新のＲＭＤに記録されているデータファイルの記録位置と、現在記録している記録位置との差が１６ＭＢ以上であれば、ＲＺｏｎｅ＃２に、前記ＲＭＤを累積的に記録する。したがって、少なくとも略１６ＭＢ毎に、前記ＲＭＤを記録することになる。図２（Ｆ）において、何度かのライトを行って、１ファイル記録した場合に、最後のライトが終了したときに、前記ＲＭＤをＲＺｏｎｅ＃２に記録する。さらに、その後図２（Ｇ）において、ファイルをクローズした場合には図２（Ｈ）に示すようにＲＺｏｎｅ＃２に記録する。
【０００６】
次に、前記ＤＶＤの規格で定められているファイナライズ時におけるＲＭＤの記録について説明する。なお、図３においても、図１のＲＭＡリードイン３６より左側のエリアは図示を省略する。図３の通り、ファイナライズ処理時には、データ領域に記録位置Ａ１０から開始して（Ａ１０は、すべてのデータファイルについて記録終了した位置とする。）、記録が終了すると、Ａ１から前記ＲＭＤをＲＺｏｎｅ＃１に記録する。ここで、ＲＺｏｎｅ＃１に記録されるディスク管理情報は規格で定まっており、ここに記録された場合には、規格を満たすディスク読取装置であればどれでも読取可能となる。
【０００７】
このように、いろいろな条件において、ディスク管理領域の記録を行うよう規格されているのは、あらゆる用途を考慮して、現在のディスク管理情報を保持することによりディスクが使えなくなることがないようにするためである。
【０００８】
しかしながら、前述の通り、ＤＶＤでは、ディスクの記録情報の管理領域の大きさが規格により予め約７００ＥＣＣブロックと決まっており、ＲＭＤを記録していくと、前記管理領域をすべて使い切ってしまい、ディスク管理領域の残りがないことにより、ディスクの記録領域が残っているにもかかわらず、これ以上のデータの記録が不可能になる問題があった。具体的には、一回のファイル記録には、図２に示す規格に従えば、最低５回のＲＭＤへの記録が必要であるから、データ記憶領域の容量に余りがあっても現実的には１００回程度の記録しかできない問題があった。
【０００９】
そこで、従来、このディスク管理領域の制約の問題を回避する手段が開示されている（例えば、特許文献１，２参照。）。
【００１０】
例えば、特許文献１には、トラック毎に管理情報記録するのではなく、セッション毎に管理情報を記録する装置が開示されている。
【００１１】
また、特許文献２にはトラック番号が９９になったならば、インデックス情報を０１〜９９に１番ずつ増加させながら、記録位置情報を音楽データとリンクさせて記録媒体のプログラムエリアに記録する方法が開示されている。
【特許文献１】特開２００２−２７９７６８号公報
【特許文献２】特開２００４−３４２１４９号公報
【発明の開示】
【発明が解決しようとする課題】
【００１２】
前記ディスクは、録画のみならず、パソコン用のデータ格納手段として用いられるなど、汎用性を意識して規格が定められている。前述の通り、ディスク管理領域の記録については、あらゆる用途を考慮して、現在のディスク管理情報を保持することによりディスクが使えなくなることがないよう、いろいろな条件において前記ディスク管理領域に記録することが規格で定められている。
【００１３】
しかし、前述の特許文献１、２の記録方法では、記録回数自体を抑制することはできないという問題があった。即ち、一時記憶装置に前記ディスク管理情報を記憶している場合には、途中経過で前記ディスク管理領域に記録することで、当該領域を無駄に浪費してしまい、この領域がなくなれば、これ以上の記録が不可能になる問題があった。
【００１４】
また、前述の特許文献２の記録方法では、データ領域にも管理情報を設けることになるから、規格外であって規格を満たす他の装置で読み出すことができず、またデータ領域に管理情報の記録により減少するという問題があった。
【００１５】
そこで、本発明は、前記ディスク管理領域に記録する回数を抑制する光ディスク記録装置を提供する。
【課題を解決するための手段】
【００１６】
本発明は、上述の課題を解決するための手段を以下のように構成している。
【００１７】
（１）データファイルを追記型の光ディスクのデータ領域に記録するデータファイル記録手段と、
前記データファイル記録手段により前記データ領域に記録されたデータファイルの管理情報を前記追記型の光ディスクの管理領域に前記管理情報の更新記録を行う管理情報更新記録手段と、
前記管理情報更新記録手段の実行を指示する管理情報更新指示手段と、を備えた光ディスク記録装置において、
前記管理情報更新指示手段は、前記データファイル記録手段が本体にセットされている前記追記型の光ディスクへのデータファイルの記録が完了したとき、前記管理情報記録手段に対して本体にセットされている前記追記型の光ディスクに記録されているデータファイルの管理情報の更新記録を指示し、前記データファイル記録手段が前記本体にセットされている前記追記型の光ディスクへのデータファイルの記録を開始するときに、前記管理情報記録手段に対して前記本体にセットされている前記追記型の光ディスクに記録されているデータファイルの管理情報の更新記録を指示しない。
【００１８】
前述の通り、前記更新記録時には、ディスク管理情報のすべてを記録するものであるから、更新記録をメモリー上で記憶できる場合には、前記データファイルの記録が完了時に、記録すれば十分であるから、本発明では前記管理情報更新指示手段は、前記データファイルの記録を開始するときに記録を指示しないよう構成している。このように構成すれば、ディスク管理領域を無駄に浪費することが少なくなる。したがって、ディスク管理領域の残りがないことにより、これ以上のデータの記録が不可能になることを回避できる。
【００１９】
（２）データファイルを追記型の光ディスクのデータ領域に記録するデータファイル記録手段と、
前記データファイル記録手段により前記データ領域に記録されたデータファイルの管理情報を前記追記型の光ディスクの管理領域に前記管理情報の更新記録を行う管理情報更新記録手段と、
前記管理情報記録手段の実行を指示する管理情報更新指示手段と、を備えた光ディスク記録装置において、
前記管理情報更新指示手段は、前記データファイル記録手段が本体にセットされている前記追記型の光ディスクへのデータファイルの記録を開始してから、このデータファイルの記録が完了するまでの間、前記管理情報記録手段に対して前記本体にセットされている前記追記型の光ディスクに記録されているデータファイルの管理情報の更新記録を指示しない。
【００２０】
例えば、前記ＤＶＤでは、汎用目的に対応等するために、規格上、最新の更新記録に記載されているアドレスと、現在記録しているアドレスの差が１６ＭＢ以上であれば、ファイルを記録中に、新たに更新記録を行うよう定められている。これは、ディスクの現在の情報を確実に保持するためのものであるが、更新記録をメモリー上で記憶できる場合には、ファイルのクローズ時にのみ更新記録を記録すれば十分である。そこで、本発明では、データファイルの記録を開始してから、このデータファイルの記録が完了するまでの間、前記管理情報更新指示手段は、更新記録を指示しないことにしている。このように構成すれば、前記ディスク管理領域に記録する回数を抑制できるので、ディスク管理領域を無駄に浪費することが少なくなる。したがって、ディスク管理領域の残りがないことにより、これ以上のデータの記録が不可能になることを回避できる。
【００２１】
なお、本発明は、前記データファイルの記録を開始後に係るものであって、前記（１）の構成のように「開始するとき」については、構成要件外である。
【００２２】
（３）前記光ディスクが追記型ＤＶＤであるものに対して、前記ファイル記録手段の実行を行うことができる。
【００２３】
このように構成すれば、前記光ディスクが追記型ＤＶＤであるものに対して、ディスク管理領域を無駄に浪費することが少なくなる。
【００２４】
（４）さらに、ファイナライズ処理をするファイナライズ手段を備え、
前記管理情報更新指示手段は、前記管理領域が前記データ記録完了後の前記管理情報の新たな更新記録をするのに十分でないと判断する機能を有し、当該判断をした場合には、前記データファイル記録手段により、前記データファイルの記録が開始するとき、および当該開始後から完了するまでの間、前記管理情報の更新記録を指示せず、前記データファイルの記録完了後直ちに前記ファイナライズ手段の実行を指示し、
前記ファイナライズ手段は、前記ファイナライズ処理で、前記管理情報を記録するため予め定められた領域であるファイナライズ領域に前記管理情報の記録を行う。
【００２５】
ディスクの規格に従い、前記ディスク管理情報を前記管理領域に記録すれば、当該領域がいっぱいになったときに、データの記録ができないのが原則である。しかし、その後直ちに前記ファイナライズ処理の実行をするならば、前記ファイナライズ管理領域にファイナライズ処理の実行後に行えば、一般的なディスク読取装置で読み取ることができるので、前記データ記録後前記管理領域に記録せずとも問題はない。したがって、本発明のように構成すれば、前記ファイナライズ領域に記録すれば、前記管理領域がいっぱいになったときでも、その後連続してファイナライズ処理をすることを前提に新たなデータの記録を行うことができる。
【発明の効果】
【００２６】
本発明によれば、前記ディスク管理領域に記録する回数を抑制できるので、ディスク管理領域を無駄に浪費することが少なくなる。したがって、ディスク管理領域の残りがないことにより、これ以上のデータの記録が不可能になることを回避できる。
【発明を実施するための最良の形態】
【００２７】
図１に第１の実施形態に係るディスク装置の内部構成図を示す。当該内部構成を大きく分けると、フロントエンド１とバックエンド１０からなる。フロントエンド１は、バックエンドからの要求に応じて、ディスク３の生データをバックエンド１０に送り、または、バックエンド１０でエンコードされたデータを、レーザ５で書き込む働きがある。フロントエンド１の構成は、少なくとも、ディスク３を回転させるモータ４と、レーザ５を当てて、反射した光を受光して電圧に変換する受光素子６と、その受光素子６の電圧をパルスに変換した後、データを一時蓄えるデータバッファ７と、これら符号４〜７の動作を制御する制御部２を含む。読み込み時には、制御部２は、レーザ５を当てた反射光を受光素子６が電圧に変換して、データバッファ７を介して、バックエンド１０のデータバッファ１２に送るよう制御する。データ記録時には、制御部２は、バックエンド１０の制御部１１からの要求に応じて、データバッファ７に格納されているデータをレーザ５で、ディスク３に記録する。
【００２８】
なお、このフロントエンド１がデータ記録を行う処理は、本発明の「データファイル記録手段」に相当する。
【００２９】
このデータ記録のプロセスは前記図２のＲＭＤの記録処理についても同様である（後述図５参照。）。
【００３０】
バックエンド１０の構成は、外部の映像入力１５をエンコードするエンコーダ１３と、エンコーダ１３で得られたデータを格納したり、フロントエンド１のデータバッファ１２から得たデータを格納するデータバッファ１２と、データバッファ１２に格納されるデータをデコードして映像出力を生成するデコーダ１４と、これら符号１２〜１４を制御する制御部１１とからなる。読み込み時には、制御部１１は、フロントエンド１の制御部２にディスク３の情報を読み込む指示を出し、受光素子６とデータバッファ７を介して得られたデータをデータバッファ１２に格納し、それをデコーダ１４でデコードして映像出力１６を生成する。記録時には、制御部１１はフロントエンド１の制御部２に記録要求を出し、データバッファ１２のデータを、フロントエンド１のデータバッファ７に転送する。
【００３１】
図５に、フロントエンド１のＲＭＤ記録処理についてのフロー図を示す。図５のＳ５１において、フロントエンド１の制御部２は、バックエンドの制御部１１からの記録要求があるか判断する。当該要求があればＹとなり、Ｓ５２において、図１のＲＭＡ領域にＲＭＤを記録して、フローは終了する。この記録処理は、前述の図４の説明の通り、データバッファ７に格納されているデータをレーザ５で、ディスク３に記録することにより行う。図５のＳ５１において、バックエンド１０からの前記記録要求がなければＮとなり、フローは終了する。
【００３２】
図５をまとめると、フロントエンド１への記録要求があればＲＭＤを記録し、当該要求がなければＲＭＤを記録しない処理となる。
【００３３】
なお、フロントエンド１のＳ５２のステップは、本発明の「更新記録」に相当し、フロントエンド１の当該ステップに係る動作は本発明の「管理情報更新記録手段」に該当する。
【００３４】
図６にバックエンド１０のＲＭＤ記録処理についてのフロー図を示す。バックエンド１０の制御部１１は、フロントエンド１からの信号を受けて、Ｓ６１において、ファイル記録開始時であるかどうか、Ｓ６２において、ライト終了時であるか、Ｓ６３において、直前にＲＭＡ３５に記録した管理情報と現在記録しているデータの記録位置との差が１６ＭＢ以上であるか、Ｓ６４において、ファイルのクローズ時であるか、Ｓ６５においてファイナライズ時であるか、判断する。いずれのステップもそれぞれ該当すればＹとなり、該当しなければＮとなる。いずれもＮとなれば、いずれかがＹとなるまで、フロントエンド１は図１のデータエリア３３（図２の記録位置Ａ３以降）にデータの記録を続け、バックエンド１０はフロントエンド１に対して新たな記録要求をしない。
【００３５】
図６のＳ６１、Ｓ６２、Ｓ６３のいずれかでＹに該当すれば、Ｓ６６において、制御部１１は、ＲＭＤの記録処理をフロントエンド１の制御部２に要求することを、禁止する。または、禁止処理を行わず、フロントエンド１の制御部２にＲＭＤの記録処理の要求をしない。なお、ＲＭＡに今後記録すべきＲＭＤはデータバッファ１２において保持する。
【００３６】
図６のＳ６４でＹに該当すれば、Ｓ６７において、ＲＭＤの記録要求を行う。このときは、フロントエンド１の制御部２に図２のＲＺｏｎｅ＃２に記録するよう要求する。また、Ｓ６５でＹに該当すれば、Ｓ６７において、制御部１１は、フロントエンド１の制御部２に図３のＲＺｏｎｅ＃１に記録するよう要求する。
【００３７】
以上図６の処理をまとめると、ファイルのクローズ時またはファイナライズ処理をするときは、制御部１１は、バックエンド１０の制御部１１はＲＭＤの記録処理の要求を行う。一方、ファイルデータを記録し始めるときから記録完了まで、バックエンド１０の制御部１１はＲＭＤの記録処理の要求をしない。このようにすれば、前記ディスク管理領域に記録する回数を抑制できるので、ディスク管理領域を無駄に浪費することが少なくなる。したがって、ディスク管理領域の残りがないことにより、これ以上のデータの記録が不可能になることを回避できる。
【００３８】
一方、前述図２の説明の通り、Ｓ６１〜Ｓ６３のいずれの場合にも、ディスク管理領域に記録する処理をディスクの規格通り行うとすると、ディスク管理領域を無駄に浪費することがありうる。
【００３９】
なお、図６のＳ６７における、制御部１１のフロントエンド１へのＲＭＤの記録要求は、本発明の「管理情報更新指示手段」に相当する。また、上記図３のＲＺｏｎｅ＃１は、本発明の「ファイナライズ領域」に相当する。
【００４０】
また、ＲＺｏｎｅ＃２においては、ディスク管理情報の記録を規格どおり行わなくとも、ファイナライズ処理において、前述図３のＲＺｏｎｅ＃１のエリアに規格どおりディスク管理情報の記録を行えば、一般的なディスク読取装置で使用可能であり、記録途中で前記データバッファ１２の記憶の保持が失われない限り、なんら問題は生じない。
【００４１】
また、図６のフローでは、Ｓ６１、Ｓ６２、Ｓ６３のいずれかでＹに該当すれば、いずれの場合もＲＭＤの記録要求を禁止または要求しない処理を行ったが、Ｓ６１の記録開始時のみ前記ＲＭＤの記録要求を禁止または要求しない処理をすることや、Ｓ６２、Ｓ６３のみ前記ＲＭＤの記録要求を禁止または要求しない処理をすることも考えられる。
【００４２】
次に、第２の実施形態に係るディスク記録装置について説明する。当該実施形態の装置は、ファイナライズ時のバックエンド１０のＲＭＤ記録処理のフローに係り、内部構成図は図４と同じであるから、その説明を流用する。また、本実施形態に係る装置は、第１の実施形態に係る図５のフローと略同様であって、ファイナライズ処理Ｓ６５以外の処理は同様であるから、その説明を流用する。
【００４３】
次に、前述の第１の実施形態の応用として、第２の実施形態に係るディスク記録装置のフロー図を示す。当該実施形態の装置は、バックエンド１０のＲＭＤ記録処理のフローに係り、内部構成図は、図４と同じであり、フロントエンド１の処理も図５と同じであるから、その説明を流用する。
【００４４】
図７に第２の実施形態の装置のバックエンド１０のＲＭＤ記録処理のフロー図を示す。Ｓ６１〜Ｓ６７は、図６と同様であるから説明を流用する。
【００４５】
Ｓ６４のクローズ時であるかの判断においてＹとなった場合、その直後にファイナライズ処理をすることが分かっているときには、Ｓ６７でＲＺｏｎｅ＃２にディスク管理情報の記録要求を行わずとも、その後のファイナライズ処理で、ＲＺｏｎｅ＃１に記録を行えばよい。なぜなら、前記ＲＺｏｎｅ＃１にファイナライズ処理の実行後に行えば、一般的なディスク読取装置で読み取ることができるので、前記データ記録後前記ＲＺｏｎｅ＃２に記録せずとも問題はないからである。したがって、その直後にファイナライズ処理をすることが分かっているときには、Ｓ６７のフロントエンド１への記録を行わない処理をすることも可能である。
【００４６】
そこで、本実施形態の装置では、図７に示す通り、図６に対しＳ７１を追加して、Ｓ７１において、その直後にファイナライズ処理をすることが事前に分かっているか判断する。当該判断を行い、該当すればＹとなり、Ｓ６６へ移動し、前記ＲＺｏｎｅ＃２への記録を禁止し、またはフロントエンド１へのＲＭＤ記録要求を行わない処理をする。Ｓ７１において該当しなければＮとなり、図６と同様Ｓ６７において、フロントエンド１への記録要求を行う。
【００４７】
例えば、図２の前記ＲＺｏｎｅ＃２がちょうどいっぱいになった場合には、前記「Ｓ６４のクローズに続けてファイナライズすることが予定されていることが分かっている場合」に該当する。以下、説明する。まず、ディスクの記録情報の管理領域がいっぱいになってしまえば、規格に従えば、これ以上データ記録できないのが原則である。ところが、本実施形態に係る装置においては図７のＳ７１での判断がＹであれば、図７のＳ６６により図２のＲＺｏｎｅ＃２に記録するよう要求することはない。代わりにファイナライズ処理のときに図３のＲＺｏｎｅ＃１に管理情報を記録すれば足りるからである。したがって、後にファイナライズ処理することを条件に１回に限り新たな記録ができる。そこで、前記ＲＺｏｎｅ＃２がちょうどいっぱいになった場合には、後述図８に示すフローに従い、後にファイナライズ処理する旨を操作者に説明し、新たな記録を行ったときは、「Ｓ６４のクローズに続けてファイナライズすることが予定されていることが分かっている場合」に該当する。
【００４８】
図８に、ディスクの記録情報の管理領域が、ちょうどいっぱいになった場合のバックエンドのデータ記録要求処理について示す。図８のＳ８１において、上述の通り、ファイナライズ処理を続けて行うことを条件に一回に限りデータ記録ができるから、その旨図外の表示器に表示する。Ｓ８２において、制御部１１は、図外の操作部からの記録要求があったかどうかどうか判断する。当該要求がなければ、フローは終了する。前記操作部からの記録要求があればＹとなり、Ｓ８３において、データ記録の要求をフロントエンド１の制御部２へ出す。即ち図１のデータエリア３３へデータを記録するよう要求する。
【００４９】
Ｓ８４において、図２で示したような規格通りのＲＭＤ記録要求を一切禁止する。または、ＲＭＤ記録要求を行わない。図８のフローでは、ファイナライズ用の領域を除くＲＭＡ記録領域、即ち図２のＲＺｏｎｅ＃２はすでにないことが前提だからである。その代わりに、データバッファ１２に管理情報を記録する。
【００５０】
Ｓ８５において、Ｓ８４でファイルデータの記録が完了すると直ちに、データファイナライズ処理を行う。図３に示す通り、データ領域の記録位置Ａ１０から記録するとともにファイナライズ用のエリア（図３のＲＺｏｎｅ＃１）にＲＭＤを記録する。このファイナライズ処理によりディスクが一般的なディスク再生装置で再生できるよう、ＲＭＤを記録する。したがって、前記図２のＲＺｏｎｅ＃２がなくとも、ファイナライズ処理をその後に行うことを条件に、新たにもう１度記録することができる。
【００５１】
なお、このＳ８５の動作は、本発明の「ファイナライズ手段」に相当する。
【００５２】
また、本実施形態に係る装置では、図６のフローを流用しているから１回のデータ記録で、クローズ時にＲＭＡへ１回ずつ記録するだけである。したがって、前記図１のＥＣＣブロックが１つづつ減っていくから、領域管理領域がちょうどいっぱいになることがありうる。
【００５３】
または、ＲＭＤが、ファイルの記録中にいっぱいになるか否か予測する予測手段を設けて、いっぱいになると予測できる場合には、図８の処理を行っても良い。
【００５４】
また、図８のフローの応用として、領域管理領域が１ブロックのみ残されている状態で、図８のＳ８１からの処理を行うことが考えられる。
【図面の簡単な説明】
【００５５】
【図１】ＤＶＤについて、ディスク管理領域であるＲＭＡ領域のデータ構造について示す。
【図２】前記ＤＶＤの規格で定められているＲＭＡにおける前記管理情報の記録タイミングについて示す。
【図３】ファイナライズ処理時のＤＶＤの規格で定められているＲＭＤの記録タイミングについて示す。
【図４】第１の実施形態に係るディスク記録装置の内部構成図を示す。
【図５】第１の実施形態に係るディスク記録装置のフロントエンドのＲＭＤ記録処理についてのフロー図を示す。
【図６】第１の実施形態に係るディスク記録装置のバックエンドのＲＭＤ記録要求処理についてのフロー図を示す。
【図７】第２の実施形態に係るディスク記録装置のバックエンドのＲＭＤ記録要求処理についてのフロー図を示す。
【図８】第２の実施形態に係るディスク記録装置の管理領域がいっぱいになったときのバックエンドのＲＭＤ記録要求処理についてのフロー図を示す。
【符号の説明】
【００５６】
１−フロントエンド
２−制御部
３−ディスク
４−モータ
５−レーザ
６−受光素子
７−データバッファ
１０−バックエンド
１１−制御部
１２−データバッファ
１３−エンコーダ
１４−デコーダ
１５−映像入力
１６−映像出力
３０−エリア
３２−リードインゾーン
３３−データエリア
３４−ＰＣＡ
３５−ＲＭＡ
３６−ＲＭＡリードイン
３７〜３９−ＲＭＤ
【図１】
2006268991.tif 000003
【図２】
2006268991.tif 000004
【図３】
2006268991.tif 000005
【図４】
2006268991.tif 000006
【図５】
2006268991.tif 000007
【図６】
2006268991.tif 000008
【図７】
2006268991.tif 000009
【図８】
2006268991.tif 000010